(57)【特許請求の範囲】
【請求項１】
ローソク（２）が着脱自在に装着されるローソク立て本体（１）に、前記ローソク（２）の灯芯（３）の炎の光を光ファイバー（４）を介して検知する光検知手段（１８）と、該光検知手段（１８）が前記炎の光を検知したときに作動してお経、音楽等の音声を再生する音声再生手段（１９）とを備えた音声再生型ローソク立てにおいて、前記ローソク立て本体（１）の上面側に、前記ローソク（２）の着脱を検知し且つ該ローソク（２）が離脱状態のときに前記音声再生手段（１９）を作動不能にする作動解除スイッチ（２０）を備え、前記ローソク（２）の下側に、前記ローソク立て本体（１）上に装着可能な受け皿（５）を備え、前記受け皿（５）に、前記受け皿（５）から光ファイバー（４）側へと上向きに突出し且つ前記光検知手段（１８）が検知する前記光ファイバー（４）からの光の拡散を防止する筒部（１０）を備え、前記光ファイバー（４）の下端部に、前記筒部（１０）に外嵌する接続部（１２）を設けたことを特徴とする音声再生型ローソク立て装置。
【請求項２】
前記光ファイバー（４）の外周に前記灯芯（３）を設け、前記接続部（１２）の上部の取り付け部（１２ａ）が前記灯芯（３）を介して前記光ファイバー（４）を外周から抱き込んでいることを特徴とする請求項１に記載の音声再生型ローソク立て装置。
【請求項３】
前記作動解除スイッチ（２０）の検知部（３８）を前記ローソク立て本体（１）の上面から上方に突出させたことを特徴とする請求項１又は２に記載の音声再生型ローソク立て装置。
【請求項４】
前記光検知手段（１８）を前記ローソク立て本体（１）の上面から上方に突出させて前記筒部（１０）に下側から嵌合させることを特徴とする請求項１〜３の何れかに記載の音声再生型ローソク立て装置。
【請求項５】
前記受け皿（５）を前記ローソク（２）の下側に固定したことを特徴とする請求項１〜４の何れかに記載の音声再生型ローソク立て装置。
【請求項６】
前記ローソク立て本体（１）は、外ケース（１５）と、前記光検知手段（１８）、前記音声再生手段（１９）が設けられ且つ前記外ケース（１５）内に着脱自在に嵌合する脚部（１３）付きの内ケース（１４）とを備え、前記外ケース（１５）は前記受け皿（５）を受ける受け部（２４）を有することを特徴とする請求項１〜５の何れかに記載の音声再生型ローソク立て装置。
【発明の詳細な説明】
【技術分野】
【０００１】
本発明は、灯芯の炎を検知してお経その他の音声を再生する音声再生型ローソク立て装置に関し、ローソクの交換時に音声再生手段が作動しないようにしたものである。
【背景技術】
【０００２】
灯芯の炎を検知してお経その他の音声を再生する音声再生型ローソク立て装置には、従来、使い捨てタイプ（特許文献１、２）と、ローソクを交換可能にした交換タイプ（特許文献３）とがある。
【０００３】
使い捨てタイプ、交換タイプの何れも、その灯芯の炎の光をローソク立て本体側へと導く光ファイバーをローソクに設け、ローソク立て本体内に、光ファイバーを介して導かれた炎の光を検知する光検知手段と、この光検知手段が炎の光を検知したときにお経、音楽等の音声を再生する音声再生手段とを備えている。
【０００４】
そして、使い捨てタイプは、ローソク立て本体とその上側のローソクとを固定して一体化している。また交換タイプは、ローソク立て本体上に、円錐状底部を有する有底円筒状のローソク装着部を設け、このローソク装着部の円錐状底部に、その下側に配置された光検知手段に対応して開口を形成し、ローソク装着部に対するローソクの着脱により、開口を開閉する弾性遮光部材を設け、ローソク装着部にローソクを装着したときに弾性遮光部材が開口を開放し、ローソクを取り外したときに弾性遮光部材が開口を閉鎖するようにしている。
【特許文献１】特開２００２−２８０７０号公報
【特許文献２】特開２００３−１５０１７９号公報
【特許文献３】実開昭６２−１７８４０７号公報
【発明の開示】
【発明が解決しようとする課題】
【０００５】
従来の使い捨てタイプは、ローソクが所定量まで減少すれば、光検知手段、音声再生手段等を含む全体を廃棄するため、無駄が多くて非常に不経済であり、またその廃棄後の処理が問題になる等の欠点がある。
【０００６】
交換タイプは、光検知手段、音声再生手段等を有するローソク立て本体を繰り返して使用するため、使い捨てタイプの欠点を解消できる。しかも、ローソクをローソク装着部から取り外したときには、弾性遮光部材が開口を閉鎖するため、光検知手段が外部の光を検知するようなこともない。従って、ローソクを交換する都度、音声再生手段が作動して音声が発生する等の問題もない。
【０００７】
しかし、従来の交換タイプでは、ローソク装着部の開口を弾性遮光部材で開閉するようにしているため、光検知手段は必ずローソク立て本体の内部に設ける必要があり、光検知手段をローソク立て本体側に設けるに当たっての設計の自由度が少ないという欠点がある。
【０００８】
またローソク装着部の底部が円錐状である上に、弾性遮光部材に放射状の切り込みを設け、ローソクの下端、又はローソクとローソク装着部との間に介在されるアダプタの下端に円錐部を設けて、ローソクをローソク装着部に装着したときに、その円錐部によって弾性遮光部材の切り込み部を押し広げるようにしているため、外径が非常に大きい大型のローソクを使用する場合には、構造的に採用し難くなる欠点がある。
【０００９】
しかも、炎の熱により融けたロウがローソクの外周を経てローソク装着部内へと流れ込み、そのロウが弾性遮光部材の切り込み部に付着して、ローソクを取り外しても弾性遮光部材が開口を閉鎖しなくなる等の惧れもある。
【００１０】
本発明は、このような従来の問題点に鑑み、ローソクの着脱を検知する作動解除スイッチを利用して、光検知手段の配置の自由度を確保しながら、ローソクの外径の大小に関係なく簡単な構造で容易且つ安価に製造でき、ロウの付着による作動不能等の問題も防止できる音声再生型ローソク立て装置を提供することを目的とする。
【課題を解決するための手段】
【００１１】
本発明は、ローソク２が着脱自在に装着されるローソク立て本体１に、前記ローソク２の灯芯３の炎の光を光ファイバー４を介して検知する光検知手段１８と、該光検知手段１８が前記炎の光を検知したときに作動してお経、音楽等の音声を再生する音声再生手段１９とを備えた音声再生型ローソク立てにおいて、前記ローソク立て本体１の上面側に、前記ローソク２の着脱を検知し且つ該ローソク２が離脱状態のときに前記音声再生手段１９を作動不能にする作動解除スイッチ２０を備え、前記ローソク２の下側に、前記ローソク立て本体１上に装着可能な受け皿５を備え、前記受け皿５に、前記受け皿５から光ファイバー４側へと上向きに突出し且つ前記光検知手段１８が検知する前記光ファイバー４からの光の拡散を防止する筒部１０を備え、前記光ファイバー４の下端部に、前記筒部１０に外嵌する接続部１２を設けたものである。
【００１２】
前記光ファイバー４の外周に前記灯芯３を設け、前記接続部１２の上部の取り付け部１２ａが前記灯芯３を介して前記光ファイバー４を外周から抱き込むようにしてもよい。
【００１３】
前記作動解除スイッチ２０の検知部３８を前記ローソク立て本体１の上面から上方に突出させてもよい。前記光検知手段１８を前記ローソク立て本体１の上面から上方に突出させて前記筒部１０に下側から嵌合させてもよい。
【００１４】
前記受け皿５を前記ローソク２の下側に固定してもよい。前記ローソク立て本体１は、外ケース１５と、前記光検知手段１８、前記音声再生手段１９が設けられ且つ前記外ケース１５内に着脱自在に嵌合する脚部１３付きの内ケース１４とを備え、前記外ケース１５は前記受け皿５を受ける受け部２４を有してもよい。
【発明の効果】
【００１５】
本発明では、ローソクの着脱を検知する作動解除スイッチを利用して、光検知手段の配置の自由度を確保しながら、ローソクの外径の大小に関係なく簡単な構造で容易且つ安価に製造でき、ロウの付着による作動不能等の問題も防止できる。
【発明を実施するための最良の形態】
【００１６】
以下、本発明の実施例を図面に基づいて詳述する。図１乃至図７は本発明に係る音声再生型ローソク立て装置の第１の実施例を例示する。
【００１７】
このローソク立て装置は、ローソク立て本体１と、このローソク立て本体１上に上側から着脱自在に装着されたローソク２とを備えている。ローソク２は大径の円柱状であって、その略中央に灯芯３と、この灯芯３の炎の光を下側のローソク立て本体１側へと導く消失型の光ファイバー４とが上下方向に設けられている。またローソク２の下側には、ローソク２を受ける受け皿５が固定されており、ローソク２は受け皿５を介してローソク立て本体１上に着脱自在に装着されている。
【００１８】
受け皿５は上面側にローソク２の下端部が挿入される円形状の浅い凹部６が形成された受け部７と、この受け部７の外周に形成された鍔部８と、鍔部８から下方に突出して形成された環状挿入部９とを略同心状に備え、受け部７の凹部６にローソク２の下端部が挿入されて固定されている。受け部７の略中心部には、上下両端が開口し且つ上側へと突出する筒部１０が一体に設けられている。受け部７の上面は、受け皿５に対するローソク２の固定を良くするために粗面状になっている。なお、受け部７の上面に、ローソク２の下部に埋入する突起等の１個又は複数個の結合用突部を設けてもよい。
【００１９】
光ファイバー４は合成樹脂等の可燃性の材料からなり、下端は受け皿５の筒部１０内に上側から挿入されている。光ファイバー４には筒状に編み上げられた灯芯３がその外周に被せられており、これらはローソク２の中心孔１１に上下方向に挿入されている。なお、灯芯３は光ファイバー４の外周に螺旋状に巻き付けてもよい。光ファイバー４の下端部には、受け皿５の筒部１０に接続する接続部１２が略同心状に設けられている。
【００２０】
接続部１２は下端の開口側が拡くなる截頭円錐筒状、テーパー状等であって、上部の取り付け部１２ａで光ファイバー４を直接又は灯芯３を介して外周から抱き込むように設けられている。接続部１２は、光ファイバー４の下端が受け皿５の筒部１０の上部に挿入された状態で、その筒部１０の外周に上側からテーパー嵌合等により套嵌されている。
【００２１】
ローソク立て本体１は外径に対して高さの低い薄型円柱状であり、底面側に据え置き用の脚部１３が設けられた脚部１３付きの内ケース１４と、この内ケース１４の外周に着脱自在に套嵌された外ケース１５とを備え、このローソク立て本体１上に、内ケース１４を上側から覆い且つ受け皿５の外周側が外ケース１５上に載るようにローソク２が装着されている。
【００２２】
内ケース１４は底壁１６を有する有底円筒状であり、上端の開口側に上蓋１７が固定又は着脱自在に装着されており、この内ケース１４に、光ファイバー４を介して導かれる炎の光を検知する光検知手段１８と、この光検知手段１８が炎の光を検知したときに作動してお経、音楽その他の音声を再生する音声再生手段１９と、ローソク２の着脱を検知し且つローソク２が離脱状態のときに音声再生手段１９を作動不能にする作動解除スイッチ２０と、これらに対する電源２１とが設けられている。
【００２３】
外ケース１５は上下両側が開放する環状であり、上下方向の中間が外側に円弧状に膨らむようにその外周面が太鼓状になっている。外ケース１５は第１係合手段２２を介して内ケース１４に着脱自在（嵌脱自在）に固定され、この外ケース１５に第２係合手段２３を介してローソク２の受け皿５が着脱自在に固定されている。
【００２４】
外ケース１５の上端内周には、受け皿５の鍔部８の外周部分を受ける嵌合受け部２４が周方向に形成されている。また受け皿５の上部外周側には、外ケース１５との間で環状凹部２５を形成する切欠き段部２６が設けられ、受け皿５を外ケース１５の嵌合受け部２４上に載置したときに、環状挿入部９がその環状凹部２５に挿入されるように構成されている。
【００２５】
第１係合手段２２は、内ケース１４の上下方向の中間（略中央）から径方向の外方に突出する一対の係合突起２７と、この各係合突起２７に対応して外ケース１５の内周面に形成された係合溝２８とを有する。第２係合手段２３は、受け皿５の環状挿入部９の上下方向の中間から径方向の外方に突出する一対の係合突起２９と、この各係合突起２９に対応して外ケース１５の内周面に形成された係合溝３０とを有する。
【００２６】
各係合溝２８，３０は各係合突起２７，２９の高さに対応する位置で、上下方向の案内溝３１に対して周方向の両側に略水平方向に形成されている。案内溝３１は各係合突起２７，２９を上下方向に案内するものであり、各係合突起２７，２９はこの案内溝３１を経て各係合溝２８，３０に係脱自在に係合するようになっている。
【００２７】
従って、外ケース１５は、案内溝３１の上端に内ケース１４の係合突起２７を合わせて、この係合突起２７が係合溝２８に対応する位置まで外ケース１５に対して内ケース１４を相対的に落とし込んだ後、内ケース１４と外ケース１５を相対的に周方向の一方に廻して係合突起２７を係合溝２８に係合させることにより、内ケース１４に固定できる。なお、内ケース１４と外ケース１５との下面は略同一高さとなっている。
【００２８】
受け皿５は案内溝３１の上端に係合突起２９を合わせた状態で環状挿入部９を環状凹部２５内に嵌め込んで、鍔部８が外ケース１５の嵌合受け部２４上に当接した後、受け皿５を周方向の一方に廻して係合突起２９を係合溝３０に係合させることにより、外ケース１５に固定できる。なお、外ケース１５と受け皿５の鍔部８との上面は略面一状になっている。
【００２９】
音声再生手段１９は、お経、音楽その他の音声情報を記憶し且つその音声情報を再生する機能を有するＬＳＩ等のＩＣ素子等からなり、音声発生用のスピーカ３２、音量調整用のボリューム３３等に接続されている。音声再生手段１９は光検知手段１８その他の電子部品と共に基板３４に実装されている。基板３４は半円状であり、底壁１６から突出する複数個の取り付け部３５にネジ３５ａ等により着脱自在に固定され、上蓋１７の下側近傍で内ケース１４の内周に沿うように配置されている。音声再生手段１９のＩＣ素子、その他の電子部品は、基板３４の下側に取り付けられている。
【００３０】
光検知手段１８はリード端子１８ａを介して基板３４の上側に取り付けられており、内ケース１４の略中央で上蓋１７の開口１７ａから上方に突出している。スピーカ３２、ボリューム３３は内ケース１４の底壁１６に取り付けられている。なお、底壁１６にはスピーカ３２に対応して多数の小孔１６ａが形成され、またボリューム３３の摘まみ３６は、底壁１６の下側から操作可能になっている。
【００３１】
作動解除スイッチ２０は例えば常開型であって、内ケース１４内で底壁１６から突出する取り付け台３７に固定され、検知部３８が上蓋１７の開口１７ｂから上側に突出している。そして、作動解除スイッチ２０は、ローソク２を装着したときに検知部３８が受け皿５により押圧されて音声再生手段１９を作動可能な状態にし、ローソク２を離脱したときに検知部３８が突出して音声再生手段１９を作動不能な状態にするように、光検知手段１８、音声再生手段１９に接続されている。例えば、作動解除スイッチ２０は、光検知手段１８と音声再生手段１９との間に直列に介装しても良いし、音声再生手段１９と電源２１との間に直列に介装してもよい。
【００３２】
電源２１は１個又は２個の電池等を備え、内ケース１４内で底壁１６に設けられた電源収容部４１に収容されている。電源収容部４１は底壁１６側に開閉蓋４２を有し、その開閉蓋４２を下側から開けて電源２１を交換するようになっている。
【００３３】
この音声再生型ローソク立て装置において、受け皿５付きのローソク２を製造する場合には、例えば、受け皿５の筒部１０に接続部１２を被せて、下端が筒部１０に挿入された状態で受け皿５上に光ファイバー４を取り付ける。そして、中心孔１１に光ファイバー４、灯芯３を挿入しながらローソク２の下部を受け皿５の凹部６内に嵌め込み、ロウ又はその他の適宜接着剤等によりローソク２を受け皿５の受け部７上に固定する。
【００３４】
このようにすることによって中心に光ファイバー４、灯芯３があり、しかも下側に受け皿５が固定された受け皿５付きのローソク２を容易に製造できる。即ち、ローソク２の中心孔１１に光ファイバー４、灯芯３を挿入した後、ローソク２の下端部を受け皿５の凹部６に嵌め込む場合には、光ファイバー４の下端側の接続部１２を受け皿５の筒部１０に嵌合させても、光ファイバー４の下端が筒部１０内に入らないことがあり、筒部１０に対して光ファイバー４の下端を挿入する作業が非常に煩雑になる。しかし、光ファイバー４等を受け皿５側に先に取り付けることにより、このような問題を容易に解消できる。また受け皿５によってローソク２の下端部を保護できるため、ローソク２の下端部の損傷がなく、その後の取り扱いを容易にできる。
【００３５】
ローソク立て本体１上にローソク２がない状態では、作動解除スイッチ２０の検知部３８が上方に突出して作動解除スイッチ２０が開成状態にある。このため作動解除スイッチ２０が音声再生手段１９の電源回路を開成する等して、音声再生手段１９が作動不能な状態になっいる。従って、光検知手段１８がローソク立て本体１の上側で露出状態にあって外部の光を検知するにも拘わらず、ローソク２の交換等に際して、ローソク立て本体１からローソク２を取り外す都度、音声再生手段１９が作動してお経等の音声が発生するようなこともない。
【００３６】
ローソク立て本体１に対するローソク２の着脱は、受け皿５を介して行う。例えば、ローソク２を装着する場合には、受け皿５の環状挿入部９の下端側を内ケース１４と外ケース１５との間の環状凹部２５に挿入して、受け皿５の係合突起２９を外ケース１５の案内溝３１に合わせた後、係合突起２９を案内溝３１に沿わせながら受け皿５を嵌め込んで行く。そして、受け皿５の鍔部８が外ケース１５の嵌合受け部２４に載ると、受け皿５を周方向に廻して係合突部２９を係合溝３０に係合させる。これによって受け皿５付きのローソク２をローソク立て本体１上に容易に固定でき、その後、ローソク２が倒れる等の惧れもない。
【００３７】
また受け皿５が外ケース１５上に載ると、その受け部７により作動解除スイッチ２０の検知部３８が押圧されて、作動解除スイッチ２０が閉成する。このため光検知手段１８が光を検知したときに音声を再生できるように、音声再生手段１９が作動可能な状態になる。一方、光検知手段１８は受け皿５の筒部１０内に入っており、全周が中ケースの上蓋１７、受け皿５等によって取り囲まれた状態となるため、作動解除スイッチ２０が閉成しても、光検知手段１８が外部の光を検知することはない。
【００３８】
ローソク２の灯芯３に着火すると、その炎の光が光ファイバー４を介してローソク立て本体１側、即ち光検知手段１８側へと導かれるので、光検知手段１８がその光を検知して音声再生手段１９が作動する。この場合、光ファイバー４と光検知手段１８とが受け皿５の筒部１０内に嵌合した状態にあり、両者が筒部１０により制限された狭い空間内で上下に相対向しているため、光検知手段１８は光ファイバー４からの光を確実に検知できる。そして、音声再生手段１９が作動すると、この音声再生手段１９によりお経等の所定の音声が再生され、スピーカ３２からお経等の音声が発生する。その音量はボリューム３３により必要に応じて適宜調整できる。
【００３９】
ローソク立て本体１上のローソク２を取り外す場合には、受け皿５を係合溝３０に沿って案内溝３１側へと装着時と反対の方向に廻した後、案内溝３１に沿って上方へと引き抜けば良い。ローソク２を取り外しても、前述と同様に音声再生手段１９が作動することはない。
【００４０】
このようにローソク２の下側に受け皿５を設けておき、その受け皿５を介してローソク２をローソク立て本体１に着脱する構成を採用することにより、ローソク２の下端部の損傷を防止できるだけでなく、その着脱を容易且つ確実にできる利点がある。
【００４１】
また受け皿５の受け部７の下面で作動解除スイッチ２０の検知部３８を押圧するため、ローソク２の下面で検知部３８を直接操作する場合に比較して、検知部３８を確実に押圧でき、作動解除スイッチ２０によりローソク２の着脱を確実に検知できる上に、作動解除スイッチ２０自体の損傷等を極力防止できる。しかも受け皿５を介してローソク２を装着することにより、ローソク２とローソク立て本体１側との相対的位置が常に一定することになり、光ファイバー４と光検知手段１８とを確実に一致させることができる。
【００４２】
受け皿５は受け部７の上側に凹部６を有する他、受け部７の中央に筒部１０を有する構造であり、この筒部１０に光ファイバー４の接続部１２が上側から被さっているため、その熱により融けたロウがローソク立て本体１側に入るような惧れもない。
【００４３】
ローソク立て本体１は脚部１３付きの内ケース１４と、この内ケース１４に着脱自在に套嵌された外ケース１５とに分け、その内ケース１４に光検知手段１８、音声再生手段１９、作動解除スイッチ２０等を設けているので、例えばお経再生用の場合には、外ケース１５を各教団、宗派に応じたデザイン等に変更することにより、主要部分をそのまま兼用して各教団、宗派用に変更できる等、種々の変更に容易に対処できる。
【００４４】
図８は本発明の第２の実施例を例示する。この実施例では、受け皿５の筒部１０は直円筒状に形成され、光ファイバー４側の接続部１２は、光ファイバー４に対する取り付け部１２ａと、この取り付け部１２ａの下側に設けられた直円筒状の筒状部１２ｂと、この筒状部１２ｂの下側に設けられた下広がりのテーパー状の案内部１２ｃとを有する形状となっている。なお、光ファイバー４の下端が筒部１０内に入るようにしてもよい。その他の構成は第１の実施例と同じである。
【００４５】
この場合には、接続部１２を受け皿５の筒部１０に接続する際に、その案内部１２ｃの案内作用によって筒部１０を筒状部１２ｂへと案内できるので、光ファイバー４、灯芯３、接続部１２を予めローソク２側に設けておき、その後に接続部１２を筒部１０に套嵌しながらローソク２の下端部を受け皿５の凹部６に挿入することも可能である。
【００４６】
図９は本発明の第３の実施例を例示する。この実施例では、光検知手段１８は内ケース１４の上蓋１７の上面から突出しない程度の高さに設けられている。受け皿５には、上側の筒部１０の他に、下側に突出する筒部４３が設けられており、受け皿５をローソク立て本体１上に装着したときに、その筒部４３内に光検知手段１８が入るようになっている。また光ファイバー４の下端は筒部１０内に入っている。その他の構成は第２の実施例と同じである。
【００４７】
この場合には、光検知手段１８が内ケース１４から上側に突出していないので、接触等によって光検知手段１８が損傷する惧れがなく、ローソク２の交換、ローソク立て本体１の掃除等を容易にできる利点がある。また受け皿５の下側に筒部４３があり、ローソク２の装着状態では光検知手段１８がその筒部４３内に入っているので、光ファイバー４からの光の拡散を筒部１０，４３で防止でき、光検知手段１８により炎の光を確実に検知できる。
【００４８】
以上、本発明の各実施例について詳述したが、本発明はこれらの実施例に限定されるものではなく、その他種々の態様で実施することができる。例えば、音声再生型ローソク立て装置は、お経再生用に限らず、賛美歌その他の音楽等、各種の音声の再生用としても広く利用できる。また音声再生手段１９は、その音声情報を記憶する記憶部等を着脱可能にして、その記憶部等を交換することにより、異なる種類の音声を再生できるようにしてもよい。
【００４９】
ローソク立て本体１は薄型の他、縦長状に構成してもよい。外ケース１５には、その外側に各種の装飾模様を凹凸状に形成してもよい。またローソク立て本体１は、外ケース１５と内ケース１４とに分割せずに一体構造とし、その上側にローソク２を着脱自在に装着するようにしてもよい。
【００５０】
ローソク立て本体１の上面側（例えば上蓋１７）に、受け皿５と同様の凹部６、筒部１０を設けて、その上側に受け皿５のないローソク２を装着するようにしてもよい。従って、受け皿５は省略することも可能である。その場合、ローソク２の下端面に薄板又はシート状の保護部材を装着しておくことが望ましい。
【００５１】
作動解除スイッチ２０はその検知部３８がローソク立て本体１の上側に突出するようにしているが、受け皿５の下面側に検知部３８を操作するための突部を設けて、検知部３８がローソク立て本体１の上面より下側となるように作動解除スイッチ２０を設けてもよい。また作動解除スイッチ２０には接触式、可動式のスイッチの他、非接触式、静止式のスイッチを使用することも可能である。
【００５２】
作動解除スイッチ２０は音声再生手段１９又は光検知手段１８の電源回路を開閉するように接続しても良いし、作動解除スイッチ２０がローソク２の離脱を検知したときに、この作動解除スイッチ２０からの信号により、制御回路が音声再生手段１９を作動不能にするように接続してもよい。回路構成上は、作動解除スイッチ２０を光検知手段１８と音声再生手段１９との間、音声再生手段１９と電源２１との間等に直列に接続するのが簡単である。作動解除スイッチ２０は常閉型、常開型の何れでもよい。
【００５３】
光検知手段１８は、ローソク２をローソク立て本体１上に装着したときに光ファイバー４の下端側と対向する関係にあれば十分であり、光ファイバー４からの光が拡散しない構造であれば、必ずしも受け皿５の筒部１０内に入るように設ける必要はない。光ファイバー４と灯芯３は並べて設けてもよい。筒部１０は接続部１２が接続可能な長さであれば、短くてもよい。
【００５４】
ローソク立て本体１の外ケース１５側に脚部１３を設けることも可能である。第１係合手段２２は、外ケース１５側に係合突起２７を、内ケース１４、受け皿５側に係合溝２８を夫々設けてもよい。ローソク立て本体１上のローソク２が倒れない構造であれば、受け皿５と外ケース１５との間の第２係合手段２３を省略してもよい。受け皿５は外ケース１５及び／又は内ケース１４に嵌合させて、内ケース１４上に載置するようにしてもよい。また受け皿５は外ケース１５に外側から被さる構造でもよい。外ケース１５、内ケース１４は、両者の対向部分に同心状に簡単なネジ構造を設け、そのネジ構造の螺合により外ケース１５を内ケース１４に固定するようにしてもよい。外ケース１５の係合溝２８，３０は、案内溝３１の一方側にのみ設けてもよい。また各係合溝２８，３０に対して斜め方向の案内溝３１を別々に設け、その各案内溝３１の下端側に、係合突起２７，２９との相対回転により係脱する係合溝２８，３０を設けてもよい。
【図面の簡単な説明】
【００５５】
【図１】本発明の第１の実施例を示すローソク立て装置の正面図である。
【図２】本発明の第１の実施例を示すローソク立て装置の一部破断平面図である。
【図３】本発明の第１の実施例を示すローソク立て装置の底面図である。
【図４】本発明の第１の実施例を示す電気系統のブロック図である。
【図５】本発明の第１の実施例を示す全体の正面縦断面図である。
【図６】本発明の第１の実施例を示す全体の側面縦断面図である。
【図７】本発明の第１の実施例を示す要部の分解断面図である。
【図８】本発明の第２の実施例を示す要部の断面図である。
【図９】本発明の第３の実施例を示す要部の断面図である。
【符号の説明】
【００５６】
１  ローソク立て本体
２  ローソク
３  灯芯
４  光ファイバー
５  受け皿
１０  筒部
１２  接続部
１３  脚部
１４  内ケース
１５  外ケース
１８  光検知手段
１９  音声再生手段
２０  作動解除スイッチ
【図１】
0004619264.tif 000002
【図２】
0004619264.tif 000003
【図３】
0004619264.tif 000004
【図４】
0004619264.tif 000005
【図５】
0004619264.tif 000006
【図６】
0004619264.tif 000007
【図７】
0004619264.tif 000008
【図８】
0004619264.tif 000009
【図９】
0004619264.tif 000010